(57)【要約】【課題】好適なタイミングで自動的に初期設定画面を表示することができるテレビジョン放送受信機を提供する。【解決手段】テレビジョン放送受信機１０において、ＣＰＵ１６に、テレビジョン放送受信機１０の電源が投入された際に、テレビジョン放送受信機１０の電源が遮断される直前に時間情報記憶領域１７ｂ１に記憶された時間情報と、テレビジョン放送受信機１０の電源が投入された直後にチューナ１１により受信されたテレビジョン放送信号に付加された時間情報と、に基づいて、テレビジョン放送受信機１０の電源が遮断されてから再び電源が投入されるまでの時間が、上限時間を上回るか否かを判定させる判定プログラム１７ｃ１と、上限時間を上回ると判定された場合に、ＣＰＵ１６に、画像デコーダ１５を介して画像表示部１５１に初期設定画面を表示するよう制御させる表示制御プログラム１７ｃ２と、を備えるよう構成した。【選択図】図１
2007049400.tif 000002
【特許請求の範囲】
【請求項１】
テレビジョン放送波から時間情報が付加されたテレビジョン放送信号を受信する受信手段を備えるテレビジョン放送受信機において、
前記受信手段により受信されたテレビジョン放送信号に付加された時間情報を記憶する時間情報記憶手段と、
当該テレビジョン放送受信機の電源が投入された際に、当該テレビジョン放送受信機の電源が遮断される直前に前記時間情報記憶手段に記憶された時間情報と、当該テレビジョン放送受信機の電源が投入された直後に前記受信手段により受信されたテレビジョン放送信号に付加された時間情報と、に基づいて、当該テレビジョン放送受信機の電源が遮断されてから再び電源が投入されるまでの時間が、所定の時間を上回るか否かを判定する判定手段と、
前記判定手段により、当該テレビジョン放送受信機の電源が遮断されてから再び電源が投入されるまでの時間が、所定の時間を上回ると判定された場合に、表示手段に、当該テレビジョン放送受信機における、チャンネルの設定、時刻の設定、言語の設定のうちの少なくとも一つの設定を行うための初期設定画面を表示させる表示制御手段と、
を備えることを特徴とするテレビジョン放送受信機。
【請求項２】
テレビジョン放送波から時間情報が付加されたテレビジョン放送信号を受信する受信手段を備えるテレビジョン放送受信機において、
前記受信手段により受信されたテレビジョン放送信号に付加された時間情報を記憶する時間情報記憶手段と、
当該テレビジョン放送受信機の電源が投入された際に、当該テレビジョン放送受信機の電源が遮断される直前に前記時間情報記憶手段に記憶された時間情報と、当該テレビジョン放送受信機の電源が投入された直後に前記受信手段により受信されたテレビジョン放送信号に付加された時間情報と、に基づいて、当該テレビジョン放送受信機の電源が遮断されてから再び電源が投入されるまでの時間が、所定の時間を上回るか否かを判定する判定手段と、
前記判定手段により、当該テレビジョン放送受信機の電源が遮断されてから再び電源が投入されるまでの時間が、所定の時間を上回ると判定された場合に、表示手段に、当該テレビジョン放送受信機における所定の設定を行うための初期設定画面を表示させる表示制御手段と、
を備えることを特徴とするテレビジョン放送受信機。
【請求項３】
請求項２に記載のテレビジョン放送受信機において、
前記表示制御手段により前記表示手段に表示される初期設定画面は、当該テレビジョン放送受信機におけるチャンネルの設定を行うためのチャンネル設定画面を有することを特徴とするテレビジョン放送受信機。
【請求項４】
請求項２又は３に記載のテレビジョン放送受信機において、
前記表示制御手段により前記表示手段に表示される初期設定画面は、当該テレビジョン放送受信機における時刻の設定を行うための時刻設定画面を有することを特徴とするテレビジョン放送受信機。
【請求項５】
請求項２〜４の何れか一項に記載のテレビジョン放送受信機において、
前記表示制御手段により前記表示手段に表示される初期設定画面は、当該テレビジョン放送受信機における言語の設定を行うための言語設定画面を有することを特徴とするテレビジョン放送受信機。
【発明の詳細な説明】
【技術分野】
【０００１】
本発明は、テレビジョン放送受信機に関する。
【背景技術】
【０００２】
従来、テレビジョン放送受信機により受信可能な放送媒体として、アナログ放送、ＢＳ（Broadcasting Satellite）デジタル放送、ＣＳ（Communication Satellite）デジタル
放送、ケーブル放送などがある。さらに近年では、地上波デジタル放送も加わって、受信可能なチャンネルの数がますます多くなっている。
【０００３】
例えば、デジタル放送を提供する放送局などからは、各チャンネルに対応するテレビジョン放送信号（画像データや音声データ）の他に、ＥＰＧ（Electronic Program Guide）情報と呼ばれる放送番組情報も送信されている。そして、デジタル放送用のテレビジョン放送受信機のユーザは、当該テレビジョン放送受信機の表示部に表示される当該ＥＰＧ情報に基づいた番組表によって、多種多様な放送の中から好みに合ったチャンネルを選択することができるようになっている。
【０００４】
ＥＰＧ情報を取得するテレビジョン放送受信機としては、例えば、電源投入直後に、全チャンネルのＥＰＧ情報を取得するテレビジョン放送受信機（例えば、特許文献１参照）、使用履歴に基づく優先順位に従って、取得すべき時間に取得すべきチャンネルのＥＰＧ情報を取得するテレビジョン放送受信機（例えば、特許文献２参照）、ＥＰＧ情報種別や日付に基づいて取得すべきＥＰＧ情報のみを取得するとともに、当該取得すべきＥＰＧ情報を中断なく取得できたか否かを判断するテレビジョン放送受信機（例えば、特許文献３参照）、受信したＥＰＧ情報の取得が完了しなかった場合に、別の受信方法によって当該ＥＰＧ情報を取得するテレビジョン放送受信機（例えば、特許文献４参照）などが提案されている。
【０００５】
ところで、テレビジョン放送受信機には、その表示部にチャンネルなどの所定の情報を設定するための初期設定画面を表示するものがある。具体的には、テレビジョン放送信号を受信するための情報が設定されていない場合に、電源投入時に当該情報の設定を行うための初期設定画面を表示するテレビジョン放送受信機（例えば、特許文献５参照）、電源が遮断された後の電源投入時に初期設定画面を表示するテレビジョン放送受信機などがある。
【特許文献１】特開２００５−０３３５６７号公報
【特許文献２】特開２００５−０２６８１０号公報
【特許文献３】特許３６０７５７０号公報
【特許文献４】特開２００５−０５１６１３号公報
【特許文献５】特開平１０−０４２２１３号公報
【発明の開示】
【発明が解決しようとする課題】
【０００６】
上述のような電源が遮断された後の電源投入時に初期設定画面を表示するテレビジョン放送受信機は、一時的に電源の供給が不安定になったり、不慮のコンセント抜けが生じたために、短期的に電源が遮断された場合であっても、その都度、初期設定画面を表示するため、ユーザに余計な手間をかけてしまうという問題がある。
【０００７】
また、上述のような特許文献５に記載のテレビジョン放送受信機は、ユーザが、改めて初期設定をしたい場合に、具体的には、例えば、引っ越しをしたために改めて初期設定をしたい場合などに、初期設定画面を表示させるための所定の操作を行わなければならない
ため、ユーザに余計な手間をかけてしまうという問題がある。
【０００８】
本発明の課題は、好適なタイミングで自動的に初期設定画面を表示することができるテレビジョン放送受信機を提供することにある。
【課題を解決するための手段】
【０００９】
上記課題を解決するために、請求項１に記載の発明は、テレビジョン放送波から時間情報が付加されたテレビジョン放送信号を受信する受信手段を備えるテレビジョン放送受信機において、前記受信手段により受信されたテレビジョン放送信号に付加された時間情報を記憶する時間情報記憶手段と、当該テレビジョン放送受信機の電源が投入された際に、当該テレビジョン放送受信機の電源が遮断される直前に前記時間情報記憶手段に記憶された時間情報と、当該テレビジョン放送受信機の電源が投入された直後に前記受信手段により受信されたテレビジョン放送信号に付加された時間情報と、に基づいて、当該テレビジョン放送受信機の電源が遮断されてから再び電源が投入されるまでの時間が、所定の時間を上回るか否かを判定する判定手段と、前記判定手段により、当該テレビジョン放送受信機の電源が遮断されてから再び電源が投入されるまでの時間が、所定の時間を上回ると判定された場合に、表示手段に、当該テレビジョン放送受信機における、チャンネルの設定、時刻の設定、言語の設定のうちの少なくとも一つの設定を行うための初期設定画面を表示させる表示制御手段と、を備えることを特徴とする。
【００１０】
請求項２に記載の発明は、テレビジョン放送波から時間情報が付加されたテレビジョン放送信号を受信する受信手段を備えるテレビジョン放送受信機において、前記受信手段により受信されたテレビジョン放送信号に付加された時間情報を記憶する時間情報記憶手段と、当該テレビジョン放送受信機の電源が投入された際に、当該テレビジョン放送受信機の電源が遮断される直前に前記時間情報記憶手段に記憶された時間情報と、当該テレビジョン放送受信機の電源が投入された直後に前記受信手段により受信されたテレビジョン放送信号に付加された時間情報と、に基づいて、当該テレビジョン放送受信機の電源が遮断されてから再び電源が投入されるまでの時間が、所定の時間を上回るか否かを判定する判定手段と、前記判定手段により、当該テレビジョン放送受信機の電源が遮断されてから再び電源が投入されるまでの時間が、所定の時間を上回ると判定された場合に、表示手段に、当該テレビジョン放送受信機における所定の設定を行うための初期設定画面を表示させる表示制御手段と、を備えることを特徴とする。
【００１１】
請求項３に記載の発明は、請求項２に記載のテレビジョン放送受信機において、前記表示制御手段により前記表示手段に表示される初期設定画面は、当該テレビジョン放送受信機におけるチャンネルの設定を行うためのチャンネル設定画面を有することを特徴とする。
【００１２】
請求項４に記載の発明は、請求項２又は３に記載のテレビジョン放送受信機において、前記表示制御手段により前記表示手段に表示される初期設定画面は、当該テレビジョン放送受信機における時刻の設定を行うための時刻設定画面を有することを特徴とする。
【００１３】
請求項５に記載の発明は、請求項２〜４の何れか一項に記載のテレビジョン放送受信機において、前記表示制御手段により前記表示手段に表示される初期設定画面は、当該テレビジョン放送受信機における言語の設定を行うための言語設定画面を有することを特徴とする。
【発明の効果】
【００１４】
請求項１に記載の発明によれば、表示制御手段によって、判定手段により、テレビジョン放送受信機の電源が投入された際に、テレビジョン放送受信機の電源が遮断されてから
再び電源が投入されるまでの時間が、所定の時間を上回ると判定された場合に、表示手段に、テレビジョン放送受信機における、チャンネルの設定、時刻の設定、言語の設定のうちの少なくとも一つの設定を行うための初期設定画面を表示させることができる。
【００１５】
したがって、電源の遮断時間が所定の時間に達しないほど短期的な場合、具体的には、例えば、不慮のコンセント抜けが生じた場合などには、初期設定画面を表示せず、電源の遮断時間が所定の時間を上回る場合、具体的には、例えば、引っ越しによって長期的に電源が遮断されていた場合などには、所定の操作が行われなくても自動的に初期設定画面を表示することができる。そして、この初期設定画面によって、ユーザにチャンネルの設定、時刻の設定、言語の設定を行うよう自動的に促すことができる。すなわち、好適なタイミングで自動的に初期設定画面を表示することができるため、ユーザに余計な手間をかけることがない。
【００１６】
請求項２に記載の発明によれば、表示制御手段によって、判定手段により、テレビジョン放送受信機の電源が投入された際に、テレビジョン放送受信機の電源が遮断されてから再び電源が投入されるまでの時間が、所定の時間を上回ると判定された場合に、表示手段に、テレビジョン放送受信機における所定の設定を行うための初期設定画面を表示させることができる。
【００１７】
したがって、電源の遮断時間が所定の時間に達しないほど短期的な場合、具体的には、例えば、不慮のコンセント抜けが生じた場合などには、初期設定画面を表示せず、電源の遮断時間が所定の時間を上回る場合、具体的には、例えば、引っ越しによって長期的に電源が遮断されていた場合などには、所定の操作が行われなくても自動的に初期設定画面を表示することができる。すなわち、好適なタイミングで自動的に初期設定画面を表示することができるため、ユーザに余計な手間をかけることがない。
【００１８】
請求項３に記載の発明によれば、請求項２に記載の発明と同様の効果が得られることは無論のこと、初期設定画面は、テレビジョン放送受信機におけるチャンネルの設定を行うためのチャンネル設定画面を有するため、例えば、引っ越しをしたことによって受信可能なチャンネルが変化した場合などに、ユーザにチャンネルの設定を行うよう自動的に促すことができることとなって有効である。
【００１９】
請求項４に記載の発明によれば、請求項２又は３に記載の発明と同様の効果が得られることは無論のこと、初期設定画面は、テレビジョン放送受信機における時刻の設定を行うための時刻設定画面を有するため、例えば、引っ越しに伴う時差によってテレビジョン放送受信機が設置された場所の時刻が変化した場合などに、ユーザに時刻の設定を行うよう自動的に促すことができることとなって有効である。
【００２０】
請求項５に記載の発明によれば、請求項２〜４の何れか一項に記載の発明と同様の効果が得られることは無論のこと、初期設定画面は、テレビジョン放送受信機における言語の設定を行うための言語設定画面を有するため、例えば、テレビジョン放送受信機が中古品として再販されることによってユーザが変わった場合などに、ユーザに言語の設定を行うよう自動的に促すことができることとなって有効である。
【発明を実施するための最良の形態】
【００２１】
以下、図を参照して、本発明にかかるテレビジョン放送受信機の最良の形態を詳細に説明する。なお、発明の範囲は、図示例に限定されない。
＜テレビジョン放送受信機の構成＞
まず、テレビジョン放送受信機１０の構成について、図１を参照して説明する。
【００２２】
テレビジョン放送受信機１０は、例えば、図１に示すように、アンテナ１１１を有するチューナ１１と、復調器１２と、ＴＳ（Transport Stream）デコーダ１３と、音声デコー
ダ１４と、音声デコーダ１４に接続される音声出力部１４１と、画像デコーダ１５と、画像デコーダ１５に接続される画像表示部１５１と、ＣＰＵ（Central Processing Unit）
１６と、ＲＡＭ（Random Access Memory）１７ａと、不揮発性メモリ１７ｂと、記憶部１７ｃと、リモコン受信部１８と、リモコン受信部１８と通信可能なテレビジョン放送受信機１０用のリモートコントローラ１８１（以下、「リモコン１８１」という。）と、などを備えて構成される。チューナ１１と、復調器１２と、ＴＳデコーダ１３と、音声デコーダ１４と、画像デコーダ１５と、ＣＰＵ１６と、ＲＡＭ１７ａと、不揮発性メモリ１７ｂと、記憶部１７ｃと、リモコン受信部１８とは、各々バスＢによって接続されている。
【００２３】
チューナ１１は、アンテナ１１１を有しており、チューナ１１とアンテナ部１１１とによって、受信手段を構成する。
【００２４】
具体的には、チューナ１１及びアンテナ１１１は、例えば、受信手段として、テレビジョン放送波から時間情報が付加されたテレビジョン放送信号を受信する。
【００２５】
より具体的には、チューナ１１は、ＣＰＵ１６からの指示に従って、例えば、アンテナ１１１により受信されるデジタル方式のテレビジョン放送波の中から、ユーザ所望の放送番組のチャンネルに対応する周波数帯域に存在するテレビジョン放送信号を受信し、当該受信したテレビジョン放送信号を中間周波信号（ＩＦ信号）に変調して出力する。
【００２６】
復調器１２は、例えば、ＣＰＵ１６からの指示に従って、チューナ１１から出力されたＩＦ信号に対してデジタル復調や誤り訂正などの処理を実行し、ストリーム（例えば、トランスポートストリーム）を出力する。
【００２７】
ＴＳデコーダ１３は、例えば、ＣＰＵ１６からの指示に従って、復調器１２から出力されたトランスポートストリームを解読して当該トランスポートストリームを構成する各トランスポートパケットを判別し、ユーザ所望の放送番組に関連するトランスポートパケットにかかるデータを、圧縮画像データと、圧縮音声データと、時間情報と、などに分離して出力する。
【００２８】
音声デコーダ１４は、例えば、ＣＰＵ１６からの指示に従って、ＴＳデコーダ１３から出力された圧縮音声データをデコードし、音声出力部１４１に出力する。
【００２９】
音声出力部１４１は、例えば、図示しないスピーカなどを備え、音声デコーダ１４から出力された音声データに基づいて音声の出力を行う。
【００３０】
画像デコーダ１５は、例えば、ＣＰＵ１６からの指示に従って、ＴＳデコーダ１３から出力された圧縮画像データをデコードし、画像表示部１５１に出力する。
【００３１】
また、画像デコーダ１５は、例えば、ＣＰＵ１６からの指示に従って、初期設定画面に関する情報を、画像表示部１５１に出力する。
【００３２】
画像表示部１５１は、表示手段として、例えば、図示しない液晶方式などの表示画面を備え、画像デコーダ１５から出力された画像データや初期設定画面に関する情報などに基づいて画像の出力を行う。
【００３３】
ＣＰＵ１６は、記憶部１７ｃに記憶されたテレビジョン放送受信機１０用の各種処理プログラムに従って、各種の制御動作を行う。
【００３４】
ＲＡＭ１７ａは、ＣＰＵ１６によって実行される処理プログラムなどを展開するためのプログラム格納領域や、入力データや上記処理プログラムが実行される際に生じる処理結果などを格納するデータ格納領域などを備える。
【００３５】
不揮発性メモリ１７ｂは、少なくともデータ書き換えが可能なフラッシュメモリなどから構成される。
【００３６】
具体的には、不揮発性メモリ１７ｂは、例えば、図１に示すように、時間情報記憶領域１７ｂ１などを有する。
【００３７】
時間情報記憶領域１７ｂ１は、時間情報記憶手段として、チューナ１１により受信されたテレビジョン放送信号に付加された時間情報を記憶する。
【００３８】
具体的には、ＣＰＵ１６の指示に従って、チューナ１１により受信されたテレビジョン放送信号から分離された時間情報が復調器１２を介してＴＳデコーダ１３から出力されると、ＣＰＵ１６は、当該出力された時間情報を時間情報記憶領域１７ｂ１に記憶させる。
【００３９】
より具体的には、ＣＰＵ１６は、例えば、チューナ１１により受信されたテレビジョン放送信号のＳＴＴ（System Time Table）から分離された現在の時間情報を、時間情報記
憶領域１７ｂ１に記憶させる。
【００４０】
なお、時間情報記憶領域１７ｂ１に記憶される時間情報は、逐次、更新されることとする。
【００４１】
記憶部１７ｃは、テレビジョン放送受信機１０で実行可能なシステムプログラム、当該システムプログラムで実行可能な各種処理プログラム、これら各種処理プログラムを実行する際に使用されるデータ、ＣＰＵ１６によって演算処理された各種結果のデータなどを記憶する。なお、プログラムは、コンピュータが読み取り可能なプログラムコードの形で記憶部１７ｃに記憶されている。
【００４２】
具体的には、記憶部１７ｃは、例えば、図１に示すように、判定プログラム１７ｃ１と、表示制御プログラム１７ｃ２と、などを記憶している。
【００４３】
判定プログラム１７ｃ１は、ＣＰＵ１６に、テレビジョン放送受信機１０の電源が投入された際に、テレビジョン放送受信機１０の電源が遮断される直前に不揮発性メモリ１７ｂの時間情報記憶領域１７ｂ１に記憶された時間情報と、テレビジョン放送受信機１０の電源が投入された直後にチューナ１１により受信されたテレビジョン放送信号に付加された時間情報と、に基づいて、テレビジョン放送受信機１０の電源が遮断されてから再び電源が投入されるまでの時間が、予め設定された所定の時間としての上限時間を上回るか否かを判定する機能を実現させる。
【００４４】
ここで、「テレビジョン放送受信機１０の電源が遮断される」とは、例えば、テレビジョン放送受信機１０の電源コード（図示省略）に設けられたプラグ（図示省略）がコンセント（図示省略）から抜けたことによって、テレビジョン放送受信機１０の電源が遮断されること、或いは電源の供給が不安定になったことによって、テレビジョン放送受信機１０の電源が遮断されることをいう。
【００４５】
また、「テレビジョン放送受信機１０の電源が投入される」とは、例えば、テレビジョン放送受信機放送受信機１０の電源コード（図示省略）に設けられたプラグ（図示省略）がコンセント（図示省略）に差し込まれ、テレビジョン放送受信機の電源スイッチ（図示省略）が押圧されたことによって、テレビジョン放送受信機１０の電源が投入されること、或いは電源の供給が安定になったことによって、テレビジョン放送受信機１０の電源が投入されることをいう。
【００４６】
ＣＰＵ１６は、かかる判定プログラム１７ｃ１を実行することによって、判定手段として機能する。
【００４７】
表示制御プログラム１７ｃ２は、ＣＰＵ１６に、判定プログラム１７ｃ１を実行したＣＰＵ１６により、テレビジョン放送受信機１０の電源が遮断されてから再び電源が投入されるまでの時間が、上限時間を上回ると判定された場合に、画像デコーダ１５を介して画像表示部１５１に、テレビジョン放送受信機１０における所定の設定を行うための初期設定画面を表示させる機能を実現させる。
【００４８】
具体的に、表示制御プログラム１７ｃ２を実行したＣＰＵ１６が、画像デコーダ１５を介して画像表示部１５１に表示させる初期設定画面には、テレビジョン放送受信機１０におけるチャンネルの設定を行うためのチャンネル設定画面、テレビジョン放送受信機１０における時刻の設定を行うための時刻設定画面、テレビジョン放送受信機１０における言語の設定を行うための言語設定画面、のうちの少なくとも一つが含まれる。
【００４９】
チャンネル設定画面では、例えば、テレビジョン放送受信機１０が設置された場所において受信可能なチャンネルを自動的に設定することができる。
【００５０】
時刻設定画面では、例えば、テレビジョン放送受信機１０が設置された場所の時間（ローカル時間）を自動的に設定することができる。
【００５１】
言語設定画面では、例えば、ユーザ所望の言語を設定することができ、そして、多国語放送に対応したテレビジョン放送信号を受信した場合においては、当該設定された言語の音声を音声出力部１４１により出力したり、当該設定された言語の文字画像を画像表示部１５１により表示することができる。
【００５２】
無論、初期設定画面は、表示制御プログラム１７ｃ２を実行したＣＰＵ１６により、画像表示部１５１に表示されるだけでなく、例えば、ユーザがリモコン１８１を操作して初期設定画面を表示するよう指示した場合にも、当該指示に従ったＣＰＵ１６により、画像表示部１５１に表示される。
【００５３】
なお、初期設定画面によって設定されたチャンネル、時刻、言語などは、例えば、不揮発性メモリ１７ｂの所定の領域（図示省略）に記憶されることとする。そして、設定される度に、不揮発性メモリ１７ｂに記憶されるチャンネル、時刻、言語などは更新されることとする。
【００５４】
ＣＰＵ１６は、かかる表示制御プログラム１７ｃ２を実行することによって、表示制御手段として機能する。
【００５５】
リモコン受信部１８は、例えば、リモコン１８１から送信された各種信号を受信し、当該各種信号に基づく情報を出力する。
＜初期設定画面表示処理＞
次に、テレビジョン放送受信機１０における、電源が投入された際の初期設定画面の表示に関する処理について、図２のフローチャートを参照して説明する。
【００５６】
ここで、前提として、テレビジョン放送受信機１０の電源は遮断されていることとする。
【００５７】
まず、テレビジョン放送受信機１０の電源が投入されると（ステップＳ１１）、ＣＰＵ１６は、復調器１２及びＴＳデコーダ１３を介して、チューナ１１が受信したテレビジョン放送信号から、当該テレビジョン放送信号に付加された時間情報を取得する（ステップＳ１２）。
【００５８】
次いで、ＣＰＵ１６は、不揮発性メモリ１７ｂの時間情報記憶領域１７ｂ１から、時間情報を取得する（ステップＳ１３）。
【００５９】
具体的には、ステップＳ１３では、テレビジョン放送受信機１０の電源が遮断される直前に時間情報記憶領域１７ｂ１に記憶された時間情報が取得されることとなる。
【００６０】
次いで、ＣＰＵ１６は、判定プログラム１７ｃ１を実行して、ステップＳ１３で取得した時間情報と、ステップＳ１２で取得した時間情報と、に基づいて、テレビジョン放送受信機１０の電源が遮断されてから再び電源が投入されるまでの時間（電源遮断時間）が、予め設定された上限時間を上回るか否かを判定する（ステップＳ１４）。
【００６１】
ステップＳ１４で、電源遮断時間が上限時間を上回らないと判定すると（ステップＳ１４；Ｎｏ）、ＣＰＵ１６は、本処理を終了する。
【００６２】
一方、ステップＳ１４で、電源遮断時間が上限時間を上回ると判定すると（ステップＳ１４；Ｙｅｓ）、ＣＰＵ１６は、表示制御プログラム１７ｃ２を実行して、画像デコーダ１５を介して画像表示部１５１に、初期設定画面を表示させ（ステップＳ１５）、本処理を終了する。
【００６３】
以上説明した本実施の形態におけるテレビジョン放送受信機１０によれば、チューナ１１によって、テレビジョン放送波から時間情報が付加されたテレビジョン放送信号を受信することができ、不揮発性メモリ１７ｂの時間情報記憶領域１７ｂ１によって、チューナ１１により受信されたテレビジョン放送信号に付加された時間情報を記憶することができ、判定プログラム１７ｃ１を実行したＣＰＵ１６によって、テレビジョン放送受信機１０の電源が投入された際に、テレビジョン放送受信機１０の電源が遮断される直前に時間情報記憶領域１７ｂ１に記憶された時間情報と、テレビジョン放送受信機１０の電源が投入された直後にチューナ１１により受信されたテレビジョン放送信号に付加された時間情報と、に基づいて、テレビジョン放送受信機１０の電源が遮断されてから再び電源が投入されるまでの時間が、予め設定された上限時間を上回るか否かを判定することができ、表示制御プログラム１７ｃ２を実行したＣＰＵ１６によって、判定プログラム１７ｃ１を実行したＣＰＵ１６により、テレビジョン放送受信機１０の電源が遮断されてから再び電源が投入されるまでの時間が、予め設定された上限時間を上回ると判定された場合に、画像デコーダ１５を介して画像表示部１５１に、テレビジョン放送受信機１０におけるチャンネルの設定を行うためのチャンネル設定画面、テレビジョン放送受信機１０における時刻の設定を行うための時刻設定画面、テレビジョン放送受信機１０における言語の設定を行うための時刻設定画面、のうちの少なくとも一つを有する初期設定画面を表示させることができる。
【００６４】
したがって、電源の遮断時間が上限時間に達しないほど短期的な場合、具体的には、例えば、不慮のコンセント抜けが生じた場合などには、初期設定画面を表示せず、電源の遮断時間が上限時間を上回る場合、具体的には、例えば、引っ越しによって長期的に電源が遮断されていた場合などには、所定の操作が行われなくても自動的に初期設定画面を表示することができる。そして、この初期設定画面によって、ユーザにチャンネルの設定、時刻の設定、言語の設定を行うよう自動的に促すことができる。すなわち、好適なタイミングで自動的に初期設定画面を表示することができるため、ユーザに余計な手間をかけることがない。
【００６５】
なお、本発明は、上記した実施の形態のものに限るものではなく、その要旨を逸脱しない範囲で適宜変更可能である。
【００６６】
上限時間は、予め設定されているとしたが、この限りではなく、例えば、ユーザによるリモコン１８１の操作などによって設定するようにしてもよい。
【００６７】
初期設定画面には、チャンネル設定画面、時刻設定画面、言語設定画面の他に、好適な任意の設定画面を含むことができる。
【図面の簡単な説明】
【００６８】
【図１】本実施の形態におけるテレビジョン放送受信機の機能的構成を示すブロック図である。
【図２】テレビジョン放送受信機における、電源が投入された際の初期設定画面の表示に関する処理を説明するためのフローチャートである。
【符号の説明】
【００６９】
１０  テレビジョン放送受信機
１１  チューナ（受信手段）
１１１  アンテナ（受信手段）
１６  ＣＰＵ（判定手段、表示制御手段）
１７ｂ１  時間情報記憶領域（時間情報記憶手段）
１７ｃ１  判定プログラム（判定手段）
１７ｃ２  表示制御プログラム（表示制御手段）
１５１  画像表示部（表示手段）
【図１】
2007049400.tif 000003
【図２】
2007049400.tif 000004